(57)【特許請求の範囲】
【請求項１】
エレベータのかごに設けられ、制御盤からケーブルを介して供給される電力が入力される一次巻線と前記一次巻線の電圧に応じて出力される電圧を調整するタップを引き出した複数の二次巻線とを有した変圧器と、
前記二次巻線の各々の出力電圧を測定する電圧測定手段と、
各タップを切り換えるタップ切換え手段と、
前記二次巻線の各々の出力電圧に基づいて、前記二次巻線の各々から電力を供給される機器の各々の入力電圧値が許容電圧範囲内になるように、各タップに対する切換え指令を前記タップ切換え手段に出力する切換え制御手段と、
前記機器の各々の入力電圧値が許容電圧範囲内となる際の前記タップ切換え手段の位置を前記エレベータの仕様として記憶する運転制御手段と、
を備えたことを特徴とするエレベータのかご電力送電装置。
【請求項２】
前記切換え制御手段は、電源から前記制御盤に供給される電圧の変動により前記一次巻線の入力電圧が低下した場合に、前記二次巻線から電力を供給される機器が動作し得るように、前記二次巻線のタップに対する切換え指令を出力することを特徴とする請求項１記載のエレベータのかご電力送電装置。
【請求項３】
前記切換え制御手段は、前記機器として、空調器具と照明器具とよりもドア駆動装置を優先し、前記ドア駆動装置が動作し得るように、前記ドア駆動装置に対応した二次巻線のタップに対する切換え指令を出力することを特徴とする請求項２記載のエレベータのかご電力送電装置。
【請求項４】
前記変圧器で降圧される前の電圧により充電され、電源から前記制御盤に供給される電力が遮断された場合に、前記かごを救出運転する際の電力を供給する非常時電源装置、
を備えたことを特徴とする請求項１〜請求項３のいずれかに記載のエレベータのかご電力送電装置。
【発明の詳細な説明】
【技術分野】
【０００１】
この発明は、エレベータのかご電力送電装置に関するものである。
【背景技術】
【０００２】
エレベータのかご電力送電装置は、制御盤からかごに高電圧が送られる。当該高電圧は、変圧器により、かごの機器の各々が必要とする電圧まで降圧される（例えば、特許文献１参照）。
【先行技術文献】
【特許文献】
【０００３】
【特許文献１】特開平６−１３５６４５号公報
【発明の概要】
【発明が解決しようとする課題】
【０００４】
しかしながら、ビルの超高層化等に伴い、エレベータの昇降距離や制御ケーブルの本数は物件毎に異なる。このため、制御盤とかごとの間での電圧降下の値は物件毎に異なる。すなわち、電圧を適切に調整しなければ、かごの機器への入力電圧が仕様から外れる。この場合、かごの機器は正常に動作しない。また、変圧器の種類が多くなる。このため、現地での調整に苦慮する。
【０００５】
この発明は、上述の課題を解決するためになされたもので、エレベータの昇降距離に影響されることなく、かごの機器に適切に電圧を供給することができるエレベータのかご電力送電装置を提供することである。
【課題を解決するための手段】
【０００６】
この発明に係るエレベータのかご電力送電装置は、エレベータのかごに設けられ、制御盤からケーブルを介して供給される電力が入力される一次巻線と前記一次巻線の電圧に応じて出力される電圧を調整するタップを引き出した複数の二次巻線とを有した変圧器と、前記二次巻線の各々の出力電圧を測定する電圧測定手段と、各タップを切り換えるタップ切換え手段と、前記二次巻線の各々の出力電圧に基づいて、前記二次巻線の各々から電力を供給される機器の各々の入力電圧値が許容電圧範囲内になるように、各タップに対する切換え指令を前記タップ切換え手段に出力する切換え制御手段と、前記機器の各々の入力電圧値が許容電圧範囲内となる際の前記タップ切換え手段の位置を前記エレベータの仕様として記憶する運転制御手段と、を備えたものである。
【発明の効果】
【０００７】
この発明によれば、エレベータの昇降距離に影響されることなく、かごの機器に適切に電圧を供給することができる。
【図面の簡単な説明】
【０００８】
【図１】この発明の実施の形態１におけるエレベータのかご電力送電装置が利用されたエレベータの構成図である。
【図２】この発明の実施の形態１におけるエレベータのかご電力送電装置のブロック図である。
【図３】この発明の実施の形態１におけるエレベータのかご電力送電装置の基本設定を説明するためのフローチャートである。
【図４】この発明の実施の形態１におけるエレベータのかご電力送電装置の基本動作を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるエレベータのかご電力送電装置が利用されたエレベータの構成図である。
【００１１】
図１において、１は巻上機である。巻上機１は、機械室（図示せず）内に設けられる。巻上機１の綱車（図示せず）には、主ロープ２が巻き掛けられる。主ロープ２の一端には、かご３が連結される。かご３には、クーラー等の空調器具４、照明器具５、ドア開閉用ドア装置及びモータからなるドア駆動装置６等の機器が設けられる。主ロープ２の他端には、釣合いおもり７が連結される。
【００１２】
機械室内には、制御盤８が設けられる。建屋の中間階には、中間接続箱９が設けられる。制御盤８と中間接続箱９とは、固定ケーブル１０を介して接続される。中間接続箱９とかご３とは、テールコード１１を介して接続される。
【００１３】
当該エレベータにおいては、巻上機１により、かご３の運転が制御される。空調器具４、照明器具５、ドア駆動装置６への電力供給は、制御盤８、固定ケーブル１０、中間接続箱９、テールコード１１を介して行われる。制御盤８とかご３内運転盤（図示せず）等との間の信号伝送は、固定ケーブル１０、中間接続箱９、テールコード１１を介して行われる。
【００１４】
次に、図２を用いて、かご電力送電装置を説明する。
図２はこの発明の実施の形態１におけるエレベータのかご電力送電装置のブロック図である。
【００１５】
図２に示すように、制御盤８には、昇圧トランス（変圧器）８ａ、入力電圧検出回路８ｂ、出力電圧検出回路８ｃ、電圧検出装置８ｄ、信号伝送装置８ｅ、運転制御装置８ｆが設けられる。
【００１６】
昇圧トランス８ａは、建屋側から入力された商用交流電力を昇圧する機能を備える。その結果、固定ケーブル１０に流れる電流の値が小さくなる。このため、固定ケーブル１０を細くすることができる。なお、商用交流電力が４００Ｖ系のように高圧の場合は、昇圧トランス８ａを省略してもよい。
【００１７】
入力電圧検出回路８ｂは、昇圧トランス８ａの入力電圧を検出する機能を備える。出力電圧検出回路８ｃは、昇圧トランス８ａの出力電圧を検出する機能を備える。電圧検出装置８ｄは、入力電圧検出回路８ｂの検出値と出力電圧検出回路８ｃの検出値とを検出する機能を備える。信号伝送装置８ｅは、固定ケーブル１０の信号伝送用芯線１０ａ、中間接続箱９、テールコード１１の信号伝送用芯線１１ａを介して、かご３との間で信号を伝送する機能を備える。運転制御装置８ｆは、電圧検出装置８ｄの検出値、信号伝送装置８ｅからの信号等に基づいて、かご３の運転を制御する機能を備える。
【００１８】
かご３には、降圧トランス（変圧器）３ａ、入力電圧検出回路３ｂ、出力電圧・電流検出回路３ｃ、３ｄ、３ｅ、切換えスイッチ３ｆ、３ｇ、３ｈ、タップ切換え制御装置３ｉ、信号伝送装置３ｊ、かご側機器制御装置３ｋが設けられる。
【００１９】
降圧トランス３ａは、固定ケーブル１０の電力伝送用芯線、中間接続箱９、テールコード１１の電力伝送用芯線を介して入力された電力を降圧して、空調器具４、照明器具５、ドア駆動装置６に供給する機能を備える。
【００２０】
具体的には、降圧トランス３ａは、一次巻線と複数の二次巻線を備える。一次巻線は、固定ケーブル１０の電力伝送用芯線、中間接続箱９、テールコード１１の電力伝送用芯を介して、昇圧トランス８ａに昇圧された電力が入力される機能を備える。二次巻線の各々は、空調器具４、照明器具５、ドア駆動装置６に対して、同一の電圧を供給し得るように設けられる。直流電圧が必要な機器に対しては、二次巻線の出力側に、整流回路等の電力変換器（図示せず）が設けられる。当該電力変換器により変換された直流電圧が当該機器に分配される。二次巻線の各々からは、複数のタップが引き出される。
【００２１】
入力電圧検出回路３ｂは、一次巻線の入力電圧を検出する機能を備える。出力電圧・電流検出回路３ｃ、３ｄ、３ｅは、電圧・電流測定手段として、降圧トランス３ａの出力電圧と出力電流とを検出する機能を備える。切換えスイッチ３ｆ、３ｇ、３ｈは、タップ切換え手段として、二次巻線の各々のタップに対応して設けられる。タップ切換え制御装置３ｉは、切換え制御手段として、切換えスイッチ３ｆ、３ｇ、３ｈの各々を制御する機能を備える。信号伝送装置３ｊは、信号伝送用芯線１１ａ、中間接続箱９、信号伝送用芯線１０ａを介して、制御盤８との間で信号を伝送する機能を備える。かご側機器制御装置３ｋは、出力電圧・電流検出回路３ｃ、３ｄ、３ｅの検出値等に基づいて、タップ切換え制御装置３ｉを制御する機能を備える。
【００２２】
次に、図３を用いて、かご電力送電装置の基本設定を説明する。
図３はこの発明の実施の形態１におけるエレベータのかご電力送電装置の基本設定を説明するためのフローチャートである。
【００２３】
客先で電源が投入されると、ステップＳ１では、運転制御装置８ｆは、入力電圧検出回路８ｂの検出値と出力電圧検出回路８ｃの検出値とが標準適用範囲か否かを判定する。入力電圧検出回路８ｂの検出値と出力電圧検出回路８ｃの検出値とが標準適用範囲でない場合は、予め設定された電圧となるようにプログラムされた動作が自動で行われた後、ステップＳ１が繰り返される。入力電圧検出回路８ｂの検出値と出力電圧検出回路８ｃの検出値とが標準適用範囲の場合は、ステップＳ２に進む。
【００２４】
ステップＳ２では、運転制御装置８ｆは、出力電圧検出回路８ｃの検出値を初期電圧値として記憶する。その後、運転制御装置８ｆは、かご３を運転可能状態とする。
【００２５】
その後、ステップＳ３に進み、かご側機器制御装置３ｋは、入力電圧検出回路３ｂの検出値を記憶する。その後、ステップＳ４に進み、かご側機器制御装置３ｋは、出力電圧・電流検出回路３ｃ、３ｄ、３ｅの検出値を記憶する。
【００２６】
その後、ステップＳ５に進み、かご側機器制御装置３ｋは、空調器具４、照明器具５、ドア駆動装置６等、かご３の機器の入力電圧値が許容電圧範囲内か否かを判定する。かご３の機器の入力電圧値が許容電圧範囲外の場合は、ステップＳ６に進む。ステップＳ６では、かご側機器制御装置３ｋは、タップ切換え制御装置３ｉを制御して、予め設定された電圧範囲になるようにプログラムされた動作により、対応した切換えスイッチ３ｆ、３ｇ、３ｈを自動で切り換える。その後、ステップＳ４以降の動作が繰り返される。
【００２７】
ステップＳ５でかご３の機器の入力電圧値が許容電圧範囲内の場合は、ステップＳ７に進む。ステップＳ７では、かご側機器制御装置３ｋは、信号伝送装置３ｊ、信号伝送用芯線１１ａ、中間接続箱９、信号伝送用芯線１０ａ、信号伝送装置８ｅを介して、切換えスイッチ３ｆ、３ｇ、３ｈの位置、入力電圧検出回路３ｂの検出値、出力電圧・電流検出回路３ｃ、３ｄ、３ｅの検出値の情報を運転制御装置８ｆに送信する。
【００２８】
その後、ステップＳ８に進み、運転制御装置８ｆは、切換えスイッチ３ｆ、３ｇ、３ｈの位置、入力電圧検出回路３ｂの検出値、出力電圧・電流検出回路３ｃ、３ｄ、３ｅの検出値の情報を本仕様の基本情報として記憶する。
【００２９】
次に、図４を用いて、かご電力送電装置の基本動作を説明する。
図４はこの発明の実施の形態１におけるエレベータのかご電力送電装置の基本動作を説明するためのフローチャートである。
【００３０】
まず、ステップＳ１１で電源から制御盤８に供給される電圧が変動すると、ステップＳ１２に進む。ステップＳ１２では、かご側機器制御装置３ｋは、かご３の機器の入力電圧値が許容電圧範囲内か否かを判定する。かご３の機器の入力電圧値が許容電圧範囲内の場合は、ステップＳ１１に戻る。かご３の機器の入力電圧値が許容電圧範囲外の場合は、ステップＳ１３に進む。
【００３１】
ステップＳ１３では、かご側機器制御装置３ｋは、信号伝送装置３ｊ、信号伝送用芯線１１ａ、中間接続箱９、信号伝送用芯線１０ａ、信号伝送装置８ｅを介して、切換えスイッチ３ｆ、３ｇ、３ｈの位置、入力電圧検出回路３ｂの検出値、出力電圧・電流検出回路３ｃ、３ｄ、３ｅの検出値の情報を運転制御装置８ｆに送信する。切換えスイッチ３ｆ、３ｇ、３ｈの位置、入力電圧検出回路３ｂの検出値、出力電圧・電流検出回路３ｃ、３ｄ、３ｅの検出値の情報やエレベータの昇降距離等の仕様に基づいて、運転制御装置８ｆは、かご３の機器の状態をチェックして、各機器の動作上の優先順位を判定する。
【００３２】
例えば、運転制御装置８ｆは、照明器具５と空調器具４とよりもドア駆動装置６を優先する。具体的には、ドア駆動装置６の電圧は、基準値に設定される。照明器具５の電圧は、基準値よりも低く設定される。空調器具４の電圧は、照明器具５の電圧よりも低く設定されたり、０に設定されたりする。
【００３３】
その後、ステップＳ１４に進み、運転制御装置８ｆは、切換え制御手段として、信号伝送装置８ｅ、信号伝送用芯線１０ａ、中間接続箱９、信号伝送用芯線１１ａ、信号伝送装置３ｊを介して各機器の優先順位の指令をタップ切換え制御装置３ｉに送信する。当該指令に基づいて、タップ切換え制御装置３ｉは、予め設定された電圧範囲になるようにプログラムされた動作により、切換えスイッチ３ｆ、３ｇ、３ｈを自動で切り換える。空調器具４の電圧を０に設定する場合は、対応した切換えスイッチ３ｆを全て開いて、空調器具４への電力供給が遮断される。
【００３４】
その後、ステップＳ１５に進み、かご側機器制御装置３ｋは、かご３の機器の入力電圧値が許容電圧範囲内か否かを判定する。かご３の機器の入力電圧値が許容電圧範囲外の場合は、ステップＳ１４の動作が繰り返される。かご３の機器の入力電圧値は許容電圧範囲内の場合は、ステップＳ１６に進む。
【００３５】
ステップＳ１６では、運転制御装置８ｆは、入力電圧値と電圧低下値、出力電圧の情報をデータとして記憶する。
【００３６】
なお、切換えスイッチ３ｆ、３ｇ、３ｈ等を切り換える際は、対応した機器への電力供給が一時的に遮断され得る。このため、通常、本設定はエレベータの保守運転中に行われる。エレベータの自動運転中に電圧変動により本設定が必要になった場合は、当該設定は、利用者がかご３に乗っている状態では実施されずに、エレベータが休止モードになったときに実施される。
【００３７】
以上で説明した実施の形態１によれば、降圧トランス３ａの二次巻線の出力電圧に基づいて、かご３の機器の各々の優先順位に応じて、切換えスイッチ３ｆ、３ｇ、３ｈが切り換えられる。すなわち、一定負荷時のかご３の機器の入力電圧から当該機器に印加する電圧を割り出すことで、エレベータの昇降距離に影響されることなく、かご３の機器に適切に電圧を供給することができる。また、降圧トランス３ａの種類を削減することができる。さらに、タップを手動で調整する必要もなくなる。このため、品質のよいエレベータを効率よく提供することができる。
【００３８】
また、電源から制御盤８に供給される電圧の変動により降圧トランス３ａの一次巻線の入力電圧が低下した場合に、かご３の機器が動作し得るように、切換えスイッチ３ｆ、３ｇ、３ｈ等が切り換えられる。この場合、空調器具４と照明器具５とよりもドア駆動装置６が優先される。このため、降圧トランス３ａ一次巻線の入力電圧が低下した場合でも、かご３のドアを開閉することができる。すなわち、利用者は、かご３を乗り降りすることができる。したがって、利用者はかご３を使って建屋の階間を移動することができる。
【００３９】
なお、降圧トランス３ａで降圧される前の高電圧で、蓄電池、電気二重層コンデンサ等からなる非常時電源装置（図示せず）を充電してもよい。この場合、断線、停電等によって制御盤８への給電が遮断された際に、法令の範囲内でかご３を救出運転する際の電力を非常時電源装置から供給すればよい。
【符号の説明】
【００４０】
１  巻上機、  ２  主ロープ、  ３  かご、  ３ａ  降圧トランス、
３ｂ  入力電圧検出回路、  ３ｃ、３ｄ、３ｅ  出力電圧・電流検出回路、
３ｆ、３ｇ、３ｈ  切換えスイッチ、  ３ｉ  タップ切換え制御装置、
３ｊ  信号伝送装置、  ３ｋ  かご側機器制御装置、  ４  空調器具、
５  照明器具、  ６  ドア駆動装置、  ７  釣合いおもり、  ８  制御盤、
８ａ  昇圧トランス、  ８ｂ  入力電圧検出回路、  ８ｃ  出力電圧検出回路、
８ｄ  電圧検出装置、  ８ｅ  信号伝送装置、  ８ｆ  運転制御装置、
９  中間接続箱、  １０  固定ケーブル、  １０ａ  信号伝送用芯線、
１１  テールコード、  １１ａ  信号伝送用芯線
【図１】
0005910302.tif 000002
【図２】
0005910302.tif 000003
【図３】
0005910302.tif 000004
【図４】
0005910302.tif 000005